(57)【要約】【課題】ギヤの組み付け誤りによる不良品の発生を抑制する。【解決手段】主動ギヤ２００の突起付歯２０５が、従動ギヤ２２０の切りかき部２２２に嵌合されない場合、主動ギヤ２００は、実線で示すように、ハンドル基部６０から浮き上がり、切りかき部２２２の深さｈに対応するように形成された突起部２０５ａの高さｈ分、第２の組み付け位置より高い位置に配置される。第１支持翼２０２ａおよび第２支持翼２０２ｂに装着される回転操作体３０も主動ギヤ２００の浮上に伴って高さｈ分、浮き上がり、ハンドル基部６０と回転操作体３０との間に高さｈの空間が形成され、回転操作体３０をハンドル基部６０に組み付けることができない。すなわち、主動ギヤ２００と従動ギヤ２２０とを正しい嵌合位置で組み付けなければ、他の部品を組み付けることができず、不良品の発生を抑制することができる。【選択図】図１０
2006239407.tif 000002
【特許請求の範囲】
【請求項１】
ハンドルの回転角度に応じて可変抵抗器の抵抗値を調整することによりパチンコ球の発射初速度を変化させるパチンコ球発射装置であって、
前記ハンドルの回転に応じて回転する主動ギヤと、
前記可変抵抗器に接続され、回転角度に応じて前記可変抵抗器の抵抗値を可変する回転軸と、
前記回転軸に設けられ、前記主動ギヤと咬み合う従動ギヤとを備え、
前記主動ギヤは、前記従動ギヤとの組み付け位置を規制する第１の組み付け規制部を有し、
前記従動ギヤは、前記第１の組み付け規制部に対応する第２の組み付け規制部を有し、
前記第１の組み付け規制部と前記第２の組み付け規制部とが合わされる場合、前記主動ギヤは、第１の組み付け位置に組み付けられ、
前記第１の組み付け規制部と前記第２の組み付け規制部とが合わされない場合、前記主動ギヤは、組み付け時の位置が前記第１の組み付け位置と異なる第２の組み付け位置に組み付けられるパチンコ球発射装置。
【請求項２】
請求項１記載のパチンコ球発射装置であって、
前記第１の組み付け規制部は、第１の嵌合部を備え、
前記第２の組み付け規制部は、前記第１の嵌合部に対応する被嵌合部を備え、
前記主動ギヤは、前記従動ギヤと、前記従動ギヤの上下方向に組み付けられ、
前記主動ギヤに固定される前記ハンドルは、前記主動ギヤと一体となって前記パチンコ球発射装置の胴体に装着され、
前記第１の嵌合部と前記被嵌合部とが嵌合されない場合、前記主動ギヤは、前記第１の組み付け位置よりも高い前記第２の組み付け位置に配置され、前記ハンドルと前記胴体の間に、前記第２の組み付け位置と前記第１の組み付け位置との差分の高さの空間が形成され、前記ハンドルと前記胴体との装着を規制するパチンコ球発射装置。
【請求項３】
請求項２記載のパチンコ球発射装置であって、
前記第１の嵌合部は、凸状に形成された突起部であり、
前記被嵌合部は、前記突起部に対応するように溝状に形成された切りかき部であるパチンコ球発射装置。
【請求項４】
請求項２記載のパチンコ球発射装置であって、
前記第１の嵌合部は、溝状に形成された切りかき部であり、
前記被嵌合部は、前記切りかき部に対応するように凸状に形成された突起部であるパチンコ球発射装置。
【請求項５】
請求項１ないし請求項４いずれか記載のパチンコ球発射装置であって、
更に、
前記従動ギヤと噛み合う付勢ギヤと、
前記付勢ギヤを、前記従動ギヤの回転方向と逆方向に、前記従動ギヤを付勢する付勢手段とを備えるパチンコ球発射装置。
【請求項６】
請求項２記載のパチンコ球発射装置であって、
前記付勢ギヤは、更に、
前記従動ギヤに形成された前記被嵌合部に対応する第２の嵌合部を有し、
前記付勢ギヤは、前記従動ギヤと、前記従動ギヤの上下方向に組み付けられ、
前記第２の嵌合部と前記被嵌合部とを嵌合された場合、前記付勢ギヤは、第３の組み付け位置に組み付けられ、
前記第２の嵌合部と前記被嵌合部とを嵌合されない場合、前記付勢ギヤは、第３の組み付け位置より高い第４の組み付け位置に組み付けられるパチンコ球発射装置。
【請求項７】
ハンドルの回転角度に応じて可変抵抗器の抵抗値を調整することによりパチンコ球の発射初速度を変化させるパチンコ球発射装置の製造方法であって、
前記回転角度に応じて前記可変抵抗器の抵抗値を可変する回転軸に、第１の組み合わせ部を有する従動ギヤを装着し、
前記従動ギヤと噛み合う付勢ギヤに設けられた第２の組み合わせ部を、前記第１の組み合わせ部と合わせて、前記付勢ギヤを、前記付勢ギヤを回転可能に支持する支持軸に組み付け、
前記付勢ギヤに、前記従動ギヤの回転方向と逆方向に前記従動ギヤを付勢する付勢手段を組み付け、前記従動ギヤを、予め定められた位置まで回転させ、
前記第１の組み合わせ部に対応する第３の組合せ部が設けられた主動ギヤを、前記第３の組み合わせ部と前記第１の組み合わせ部とを合わせて、前記主動ギヤを回転可能に支持する支持軸に組み付け、
前記主動ギヤに、前記ハンドルを組み付けるパチンコ球発射装置の製造方法。
【発明の詳細な説明】
【技術分野】
【０００１】
本発明は、パチンコ球の発射初速度を可変するパチンコ球発射装置の構造に関するものである。
【背景技術】
【０００２】
パチンコ遊技機のパチンコ球発射装置は、可変抵抗器を用いてパチンコ球の発射初速度を電気的に制御する。パチンコ球発射装置は、操作ハンドルと操作ハンドルの回転に応じて回転する主動ギヤと、主動ギヤと噛合する従動ギヤとから構成される。従動ギヤは、可変抵抗器に接続された回転軸に設けられており、従動ギヤの回転角度に応じて、可変抵抗器の抵抗値が調整される。
【０００３】
パチンコ球発射装置は、以下に説明する手順で組み付けられる。すなわち、可変抵抗器に接続された回転軸に従動ギヤを嵌合し、従動ギヤと、予め定められた位置で主動ギヤを組み付ける。次に、主動ギヤと操作ハンドルを組み付ける。主動ギヤと従動ギヤとの組み付け位置に、目印を付して組み付けを容易にしている。
【０００４】
【特許文献１】特開平５−３９４４号公報
【発明の開示】
【発明が解決しようとする課題】
【０００５】
しかしながら、パチンコ球発射装置のギヤの組み付けは人手によって行われており、ギヤ同士の組み付けの位置を誤ることがあった。ギヤ同士の組み付けを誤った状態であっても、操作ハンドルやカバーを組み付けることができるため、不良品がそのまま出荷されてしまうという問題があった。
【０００６】
本発明は、このような課題に鑑みてなされたものであり、ギヤ同士を、正しい組み付け位置で組み付けなければ、組み付けられない構造とし、不良品の発生を抑制することを目的とする。
【課題を解決するための手段】
【０００７】
上述した課題の少なくとも一部を解決するために、本発明は以下の構成をとることとした。すなわち、ハンドルの回転角度に応じて可変抵抗器の抵抗値を調整することによりパチンコ球の発射初速度を変化させるパチンコ球発射装置において、
前記ハンドルの回転に応じて回転する主動ギヤと、
前記可変抵抗器に接続され、回転角度に応じて前記可変抵抗器の抵抗値を可変する回転軸と、
前記回転軸に設けられ、前記主動ギヤと咬み合う従動ギヤとを備え、
前記主動ギヤは、前記従動ギヤとの組み付け位置を規制する第１の組み付け規制部を有し、
前記従動ギヤは、前記第１の組み付け規制部に対応する第２の組み付け規制部を有し、
前記第１の組み付け規制部と前記第２の組み付け規制部とが合わされる場合、前記主動ギヤは、第１の組み付け位置に組み付けられ、
前記第１の組み付け規制部と前記第２の組み付け規制部とが合わされない場合、前記主動ギヤは、組み付け時の位置が前記第１の組み付け位置と異なる第２の組み付け位置に組み付けられることを要旨とする。
【０００８】
本発明によれば、主動ギヤと従動ギヤは、第１の組み付け規制部と第２の組み付け規制部とを合わされた場合と、第１の組み付け規制部と第２の組み付け規制部とを合わされない場合とで、異なる組み付け位置に配置される構造とすることができる。従って、主動ギヤの組み付け位置が正しいか否かを簡易に判断することができ、不良品の発生を抑制することができる。
【０００９】
本発明のパチンコ球発射装置において、
前記第１の組み付け規制部は、第１の嵌合部を備え、
前記第２の組み付け規制部は、前記第１の嵌合部に対応する被嵌合部を備え、
前記主動ギヤは、前記従動ギヤと、前記従動ギヤの上下方向に組み付けられ、
前記ハンドルは、前記主動ギヤに固定され、前記主動ギヤと一体となって前記パチンコ球発射装置の胴体に装着され、
前記第１の嵌合部と前記被嵌合部とが嵌合されない場合、前記主動ギヤは、前記第１の組み付け位置よりも高い前記第２の組み付け位置に配置され、前記ハンドルと前記胴体の間に、前記第２の組み付け位置と前記第１の組み付け位置との差分の高さの空間が形成され、前記ハンドルと前記胴体との装着を規制することとしてもよい。
【００１０】
本発明によれば、第１の嵌合部と被嵌合部とが嵌合されない場合、主動ギヤと一体的に組み合うハンドルと、パチンコ球発射装置の土台部材である胴体との間に空間が形成され、ハンドルを胴体に固定することができないこととなる。従って、第１の嵌合部と被嵌合部とを正しい位置で嵌合しなければパチンコ球発射装置を組み付けることができず、不良品の発生を抑制することができる。
【００１１】
本発明のパチンコ球発射装置において、
前記第１の嵌合部は、凸状に形成された突起部であり、
前記被嵌合部は、前記突起部に対応するように溝状に形成された切りかき部であることとしてもよい。
【００１２】
また、例えば、本発明のパチンコ球発射装置において、
前記第１の嵌合部は、溝状に形成された切りかき部であり、
前記被嵌合部は、前記切りかき部に対応するように凸状に形成された突起部であることとしてもよい。
【００１３】
こうすれば、主動ギヤの第１の嵌合部と、従動ギヤの被嵌合部とを、簡易に形成することができる。
【００１４】
本発明のパチンコ球発射装置において、
更に、
前記従動ギヤと噛み合う付勢ギヤと、
前記付勢ギヤに、前記従動ギヤの回転方向と逆方向に、前記従動ギヤを付勢する付勢手段とを備えることとしてもよい。
【００１５】
本発明によれば、付勢ギヤを設けることにより、主動ギヤと従動ギヤとの歯車の遊びを抑制し、円滑に動作させることができる。
【００１６】
本発明のパチンコ球発射装置において、
前記付勢ギヤは、更に、
前記従動ギヤに形成された前記被嵌合部に対応する第２の嵌合部を有し、
前記付勢ギヤは、前記従動ギヤと、前記従動ギヤの上下方向に組み付けられ、
前記第２の嵌合部と前記被嵌合部とを嵌合された場合、前記付勢ギヤは、第３の組み付け位置に組み付けられ、
前記第２の嵌合部と前記被嵌合部とを嵌合されない場合、前記付勢ギヤは、第３の組み付け位置より高い第４の組み付け位置に組み付けられることとしてもよい。
【００１７】
本発明によれば、従動ギヤに設けられた被嵌合部に対応する第２の嵌合部を付勢ギヤに設け、第２の嵌合部と被嵌合部とを合わせなければ付勢ギヤが正規の位置より高い位置で配置され、他の部材を組み付けることができない構成とすることができる。従って、従動ギヤと付勢ギヤとを、正しい位置で組み付けることができる。
【００１８】
本発明において、上述した種々の態様は、適宜、組み合わせたり、一部を省略したりして適用することができる。
【発明を実施するための最良の形態】
【００１９】
以下、本発明の実施の形態について、実施例に基づき説明する。
Ａ．実施例：
Ａ１．パチンコ球発射ハンドル概略構造：
図１（ａ）は、パチンコ球発射ハンドル１００の右側を表す平面図である。図１（ｂ）は、パチンコ球発射ハンドル１００の前面を表す平面図である。図２は、回転操作体３０を表す平面図である。図３（ａ）は、ハンドル基部６０の内部の概略構成を表す平面図である。図３（ｂ）は、ハンドル基部６０の背面を表す平面図である。パチンコ球発射ハンドル１００は、パチンコ遊技機において、パチンコ球を発射させる装置である。ハンドル基部６０と、回転操作体３０と、ストップスイッチ操作部４０と、前カバー５０とを備えている。本実施例において、前カバー５０側を、パチンコ球発射ハンドル１００の前面側とする。
【００２０】
図１（ａ）に示すように、回転操作体３０は、ハンドル基部６０の前面側を覆うように、ハンドル基部６０に取り付けられる。ハンドル基部６０は、底板部６１と、支持部６２とから形成されている。前カバー５０は、略半球形状に形成されており、回転操作体３０の前面側に嵌め込むように取り付けられる。
【００２１】
図１（ｂ）に示すように、ストップスイッチ操作部４０は、一部がハンドル基部６０の外側に突出するよう取り付けられている。ストップスイッチ操作部４０は、ハンドル基部６０の内部に設置されているストップスイッチのＯＮ／ＯＦＦを操作する操作部である。遊技者は、ストップスイッチ操作部４０を軽く押さえると、パチンコ球発射ハンドル１００を回転操作した状態でパチンコ球の発射を任意に停止することができる。
【００２２】
回転操作体３０は、３つの指掛け部３０ａ、３０ｂ、３０ｃを備える。指掛け部３０ａには親指をかけ、指掛け部３０ｂには人差し指または中指をかけ、指掛け部３０ｃには中指または薬指をかけるように構成されている。遊技者は、各指掛け部に指を掛けて、図中の矢印Ｘに示すように、右回りに回転操作する。回転操作体３０の回転操作に応じて、パチンコ球が発射される。遊技者が各指掛け部にどの指を掛けるかは遊技者の自由である。
【００２３】
図２に示すように、回転操作体３０は、孔部３１ａ、３１ｂと、嵌合孔３２ａ，３２ｂと、回転軸孔３３と、バネ止め部３４と、バネ配置部３５と、バネ支持部３６とを備える。嵌合孔３２ａ、３２ｂおよび回転軸孔３３は、円形状に貫通するように形成されている。孔部３１ａ、３１ｂは、外周縁にそって円弧形状に貫通するように形成されている。バネ止め部３４およびバネ支持部３６は、外周縁３７よりは低く突起するように形成されている。
【００２４】
図３（ａ）に示すように、ハンドル基部６０は、主動ギヤ２００と、従動ギヤ２２０と、付勢ギヤ２４０と、付勢バネ２６０と、タッチスイッチ１１０と、ストップスイッチ１２０と、ストップスイッチ操作部４０と、回転軸２１０、２３０、２５０、１１２と、支柱１３０、１３１、１３２と、ビス装着孔１４０、１１３，２６６と、固定軸１３４、１３５と、カバー板１６０とを備えている。
【００２５】
主動ギヤ２００は、従動ギヤ２２０と、予め定められた位置で噛み合うように回転軸２１０に取り付けられている。主動ギヤ２００は、回転軸２１０を貫通せず、回転軸２１０を覆うように組み付けられている。
【００２６】
従動ギヤ２２０は、回転軸２３０に嵌合されている。従動ギヤ２２０は、回転軸２３０を貫通せず、回転軸２３０を覆うように組み付けられている。
【００２７】
付勢ギヤ２４０は、従動ギヤ２２０と、予め定められた位置で噛み合うように、回転軸２５０に取り付けられている。付勢ギヤ２４０には、付勢バネ２６０が装着されている。付勢バネ２６０は、一端がバネ支持軸２６５に掛けられ、他端が付勢ギヤ２４０に掛けられている。付勢ギヤ２４０は、付勢バネ２６０の弾性により、従動ギヤ２２０の回転方向と逆方向に回転させる向きに回転し、従動ギヤ２２０を付勢する。
【００２８】
タッチスイッチ１１０は、ビス装着孔１４０と、軸孔１４１とを備える。タッチスイッチ１１０は、軸孔１４１に固定軸１３４が貫通され、かつ、ビス装着孔１４０にビスが装着されることにより固定されている。タッチスイッチ１１０は、ユーザが、回転操作体３０に触れているか否かを検出し、触れていないと検出された場合には、回転操作体３０が回転操作されていてもパチンコ球の発射を停止する。
【００２９】
ストップスイッチ１２０は、軸孔１５０と、ストップボタン１２６と、ボタン押圧板１２７とを備えている。ストップスイッチ１２０は、固定軸１３５に軸孔１５０が貫通されて固定されている。ストップスイッチ操作部４０は、回転軸１１２に、回転可能に取り付けられている。ストップスイッチ操作部４０の操作部４１が押圧されると、ストップスイッチ操作部４０は、回転軸１１２を軸心として回転し、作用部４２がボタン押圧板１２７を押圧する。ボタン押圧板１２７は、ストップボタン１２６を押圧する。ストップスイッチ１２０は、ストップボタン１２６が押圧されると、パチンコ球の発射を停止する。
【００３０】
カバー板１６０は、３つのビス貫通孔、カバー板１６０の前面を覆うように取り付けられる。ビス貫通孔は、バネ支持軸２６５に成形されたビス装着孔２６６に対応する位置と、ビス装着孔１４０に対応する位置と、回転軸１１２に成形されたビス装着孔１１３に対応する位置にそれぞれ形成されている。カバー板１６０は、ビスが、各ビス貫通孔に貫通され、ビス装着孔２６６、１４０、１３３に装着されることにより固定される。カバー板１６０は、鉄により形成されている。本図では、カバー板１６０に覆われる各部材の説明を簡易にするためにカバー板１６０を透明に記載した。
【００３１】
ハンドル基部６０の内側は、中空状に形成されている。可変抵抗器１７０は、この中空状に形成された空間の内部に設置され、回転軸２１０と接続されている。可変抵抗器１７０は、従動ギヤ２２０が回転されることによって回転される回転軸２１０の回転角度に応じて、内部に設置された抵抗器の抵抗値を変化させる。可変抵抗器１７０の抵抗値が変化することにより、パチンコ球が発射される際のパチンコ球の初速度（パチンコ球の発射初速度）が調整される。
【００３２】
Ａ２．主動ギヤの構造：
図４は、主動ギヤ２００の構造を説明する斜視図である。図５は、図４に示した矢印Ｐ側からみた主動ギヤ２００を表す平面図である。
【００３３】
図４および図５に示すように、主動ギヤ２００は、軸芯部２０１と、第１支持翼２０２ａと、第２支持翼２０２ｂと、歯車２０３と、嵌合部２０４とを有する。軸芯部２０１は、回転操作体３０の回転軸孔３３に嵌合される。第１支持翼２０２ａは、回転操作体３０の嵌合孔３２ａに嵌合され、第２支持翼２０２ｂは、嵌合孔３２ｂに嵌合され、回転操作体３０を支持する。嵌合部２０４は、回転軸２１０に嵌合される。
【００３４】
歯車２０３は、歯２０３ａと、突起付歯２０５とを有する。突起付歯２０５は、他の歯２０３ａよりも嵌合部２０４側へ突出して形成された突起部２０５ａを備える。図に、突起部２０５ａをハッチングで示した。突起部２０５ａは、後述する従動ギヤ２２０に形成された切りかき部２２２の溝の深さと同一の長さを有し、切りかき部２２２の溝の幅より薄く形成されている。
【００３５】
Ａ３．従動ギヤの構造：
図６は、従動ギヤ２２０の構造を説明する斜視図である。図７は、図６に示した矢印Ｑ側からみた従動ギヤ２２０を表す平面図である。
【００３６】
図６および図７に示すように、従動ギヤ２２０は、歯車２２１と、嵌合部２２５と、ストッパ２２３とを有する。ストッパ２２３は、図示しない停止棒に当たって従動ギヤ２２０の回転を止める。ストッパ２２３は、従動ギヤ２２０の回転角度が一定の角度以上、回転しないよう回転範囲を規制する。歯車２２１は、主動ギヤ２００および付勢ギヤ２４０と噛み合う歯２２１aを有する。
【００３７】
嵌合部２２５は回転軸２３０に嵌合される。嵌合部２２５には、歯２２１ｂと歯２２１ｃとの間に、溝状の切りかき部２２２が形成されている。図に切りかき部２２２をハッチングで示した。切りかき部２２２の溝の深さは、主動ギヤ２００に形成された突起部２０５ａの長さに対応する深さを有し、突起部２０５ａの厚みより、若干、広い幅を有するよう形成されている。
【００３８】
Ａ４．付勢ギヤの構造：
図８（ａ）、（ｂ）は、付勢ギヤ２４０を表す斜視図である。図８（ａ）、（ｂ）に示すように、付勢ギヤ２４０は、歯車２４１と、バネ掛け部２４２と、筒体２４３と、嵌合部２４４と、バネ配置部２４５と、ストッパ２４６とを有する。
【００３９】
嵌合部２４４は、回転軸２５０に対応する形状に貫通孔が形成されており、回転軸２５０に嵌合される。バネ掛け部２４２は、付勢バネ２６０の一端を掛けることができるように、溝状に形成されている。バネ配置部２４５は、付勢バネ２６０を配置する領域であり、筒体２４３と嵌合部２４４の間に、筒体２４３および嵌合部２４４の外周縁に沿って溝状に形成されている。
【００４０】
歯車２４１は、歯２４１ａと、突起付歯２４８とを備えている。突起付歯２４８は、他の歯２４１ａよりも突出して形成された突起部２４８ａを備える。図に、突起部２４８ａをハッチングで示した。突起部２４８ａは、従動ギヤ２２０に形成された切りかき部２２２の溝の深さと同一の長さを有し、切りかき部２２２の溝の幅より、若干、薄く形成されている。突起部２４８ａは、切りかき部２２２と同一の長さでなくてもよい。他の歯２４１ａより長めに形成されていればよい。
【００４１】
Ａ５．ギヤの組み付け：
図９は、主動ギヤ２００と従動ギヤ２２０とを表す斜視図である。従動ギヤ２２０の切りかき部２２２に、主動ギヤ２００の突起付歯２０５の突起部２０５ａが嵌合された状態を表している。ハッチングで示す突起部２０５ａは、主動ギヤ２００と従動ギヤ２２０とを正しい組み付け位置に組み付ける際に、従動ギヤ２２０と噛合している歯（突起付歯２０５）に設けられている。切りかき部２２２は、主動ギヤ２００と従動ギヤ２２０とを正しい組み付け位置に組み付けた際に、突起付歯２０５に対応する部分に形成されている。
【００４２】
回転操作体３０の回転に応じて、主動ギヤ２００が図中矢印Ａ方向へ回転すると、従動ギヤ２２０は、主動ギヤ２００の回転に応じて図中矢印Ｂ方向へ回転する。従動ギヤ２２０が回転すると、従動ギヤ２２０に接続された可変抵抗器１７０の抵抗が小さくなり、電源装置から電流が流れ、パチンコ球発射装置が駆動される。
【００４３】
図１０は、主動ギヤ２００と従動ギヤ２２０との組み付けを模式的に説明する模式図である。主動ギヤ２００は、矢印Ｙの向き、すなわち、従動ギヤ２２０の上下方向に嵌合され組み付けられる。突起付歯２０５が切りかき部２２２に嵌合された場合、主動ギヤ２００は、図に破線で示す位置で従動ギヤ２２０と組み付けられ、主動ギヤ２００と組み付けられている回転操作体３０は、ハンドル基部６０と接する位置に組み付けられる。破線で示した主動ギヤ２００が組み付けられた位置は、本願発明における第２の組み付け位置である。
【００４４】
しかし、主動ギヤ２００の突起付歯２０５が、従動ギヤ２２０の切りかき部２２２に嵌合されない場合、主動ギヤ２００は、実線で示すように、ハンドル基部６０から浮き上がり、切りかき部２２２の深さｈに対応するように形成された突起部２０５ａの高さｈ分、第２の組み付け位置より高い位置に配置される。実線で示した主動ギヤ２００が組み付けられた位置は、本願発明における第１の組み付け位置である。第１支持翼２０２ａおよび第２支持翼２０２ｂに装着される回転操作体３０も主動ギヤ２００の浮上に伴って高さｈ分、浮き上がり、ハンドル基部６０と回転操作体３０との間に高さｈの空間が形成され、回転操作体３０をハンドル基部６０に組み付けることができない。
【００４５】
すなわち、主動ギヤ２００と従動ギヤ２２０とを正しい嵌合位置で組み付けなければ、他の部品を組み付けることができない。従って、主動ギヤ２００と従動ギヤ２２０とが誤って組み付けられたままパチンコ球発射ハンドル１００を完成させることはできず、不良品の発生を抑制することができる。
【００４６】
図１１は、組み付けられた従動ギヤ２２０と付勢ギヤ２４０を表す斜視図である。従動ギヤ２２０の切りかき部２２２に、付勢ギヤ２４０の突起付歯２４８の突起部２４８ａが嵌合された状態を表している。ハッチングで示す突起部２４８ａは、従動ギヤ２２０と付勢ギヤ２４０とを正しい組み付け位置に組み付けた状態で、従動ギヤ２２０と噛合している歯（突起付歯２４８）に設けられている。このように構成することにより。従動ギヤ２２０と、付勢ギヤ２４０とを正しい組み付け位置で組み付けることができる。この場合の組み付け位置が本願発明の第３の組み付け位置である。切りかき部２２２と突起部２４８ａとが嵌合されない場合、付勢ギヤ２４０は、突起部２４８ａだけ高い位置で従動ギヤ２２０に組み付けられる。この場合の組み付け位置が、本願発明の第４の組み付け位置である。付勢ギヤ２４０は、第４の組み付け位置で組み付けられた場合、例えば、カバー板１６０が付勢ギヤ２４０に当たり浮き上がったり、付勢バネ２６０をバネ支持軸２６５に掛けられなかったりするため、回転操作体３０をハンドル基部６０に組み付けることができない。
【００４７】
従動ギヤ２２０と付勢ギヤ２４０は以下に説明するように動作する。すなわち、主動ギヤ２００の回転に応じて、従動ギヤ２２０が図中矢印Ｃ方向へ回転すると、付勢ギヤ２４０は、従動ギヤ２２０の回転に応じて図中矢印Ｄ方向へ回転する。図示を省略した付勢バネ２６０の弾性により、付勢ギヤ２４０には、図中矢印Ｅ方向へ回転する力が作用し、従動ギヤ２２０には、図中矢印Ｆ方向へ回転する力が作用する。このように付勢ギヤ２４０によって従動ギヤ２２０を付勢することにより、従動ギヤ２２０と主動ギヤ２００との歯車の遊びを抑制することができ、パチンコ球発射ハンドル１００を円滑に操作することができる。
【００４８】
Ａ６．組み付け工程：
図１２は、本実施例におけるパチンコ球発射ハンドル１００の組み付け工程を説明する工程図である。図１３ａ，図１３ｂ，図１３ｃおよび図１４は、組み付け工程を説明する平面図である。各図を用いて説明する組み付け工程は、主動ギヤ２００、従動ギヤ２２０、付勢ギヤ２４０、カバー板１６０、回転操作体３０および前カバー５０以外の部品はハンドル基部６０に装着済みである。
【００４９】
従動ギヤ２２０を回転軸２３０に装着し（ステップＳ１０）、従動ギヤ２２０の切りかき部２２２に付勢ギヤ２４０の突起付歯２４８の突起部２４８ａを合わせて、付勢ギヤを軸に装着する（ステップＳ１１：図１４ａ）。付勢バネ２６０を、一端をバネ掛け部２４２に掛け、他端をバネ支持軸２６５に掛けて、付勢ギヤ２４０に装着する（ステップＳ１２：図１４ｂ）。図１４ｂに示すように、付勢バネ２６０を付勢ギヤに装着すると、付勢バネ２６０の弾性により付勢ギヤ２４０が矢印Ｇ方向に回転される。従動ギヤ２２０は付勢ギヤ２４０の回転に応じて矢印Ｈ方向に回転され、切りかき部２２２が、主動ギヤ２００の突起付歯２０５との正常な組み付け位置まで回転される。
【００５０】
従動ギヤ２２０の切りかき部２２２に、主動ギヤ２００の突起付歯２０５の突起部２０５ａを合わせて、主動ギヤ２００を回転軸２１０に装着する（ステップＳ１３：図１４ｃ）。カバー板１６０のビス貫通孔を、ビス装着孔１１３、ビス装着孔１４０、ビス装着孔２６６に合わせて、カバー板１６０を、ハンドル基部６０を覆うように配置し、ビスで固定する（ステップＳ１４）。
【００５１】
回転操作体３０を、ハンドル基部６０に装着する（ステップＳ１５）。具体的には、回転操作体３０の嵌合孔３２ａに、主動ギヤ２００の第１支持翼２０２ａを嵌合し、嵌合孔３２ｂに第２支持翼２０２ｂを嵌合する。回転軸孔３３は、軸芯部２０１に嵌合される。孔部３１ａに、支柱１３０、１３１が貫通するよう組み付けられる。同様に、孔部３１ｂに、支柱１３２が貫通するよう組み付けられる。
【００５２】
以上説明した実施例のパチンコ球発射ハンドル１００によれば、組み付け時に従動ギヤ２２０と噛み合う、主動ギヤ２００の歯に突起部２０５ａを設け、従動ギヤ２２０において、組み付け時に主動ギヤ２００の歯車と噛合する部分に、突起部２０５ａに対応する溝状の切りかき部２２２を備えることにより、迅速かつ正確に組み付けを行うことができ、不良品の発生を抑制することができる。すなわち、突起部２０５ａと切りかき部２２２を合わせて組み付けなければ、主動ギヤ２００が浮き上がり回転操作体３０を組み付けることができない。従って、パチンコ球発射ハンドル１００を完成させるためには、主動ギヤ２００と従動ギヤ２２０を正しい位置で組み付けなければならないため、不良品の発生を抑制することができる。
【００５３】
また、実施例では、主動ギヤ２００と従動ギヤ２２０の歯車間の遊びを無くすために設けた付勢ギヤ２４０にも、従動ギヤ２２０と正しく組み合う位置に、従動ギヤ２２０の切りかき部２２２に対応する突起部２４８ａを設けることにより、付勢ギヤ２４０と従動ギヤ２２０とを正しい位置で迅速に組み付けることができる。
【００５４】
上述した実施例では、主動ギヤ２００に突起部２０５ａを設け、従動ギヤ２２０に、切りかき部２２２を設けることとしたが、例えば、主動ギヤ２００に切りかき部を設け、従動ギヤ２２０に突起部を設けることとしてもよい。このようにしても、上述した実施例のパチンコ球発射装置と同様の効果を得ることができる。
【００５５】
また、主動ギヤ２００の突起付歯２０５に、組み付け時に視認可能な位置に突起付歯２０５であることを示す印を設けることとしてもよい。同様に、従動ギヤ２２０の切りかき部２２２の脇に設けられている歯、付勢ギヤ２４０の突起付歯２４８の、組み付け時に視認可能な位置に印を設けることとしてもよい。パチンコ球発射ハンドル１００の組み付けは細かな作業であり、組み付け位置が視認し難い部分に存在する場合があるため、このような構成とすれば、組み付け作業をより容易にすることができる。
【００５６】
以上、本発明の種々の実施例について説明したが、本発明はこれらの実施例に限定されず、その趣旨を逸脱しない範囲で種々の構成をとることができることは言うまでもない。
【図面の簡単な説明】
【００５７】
【図１】実施例におけるパチンコ球発射ハンドルの構成を例示する説明図。
【図２】実施例における回転操作体を表す平面図。
【図３】実施例におけるハンドル基部を表す平面図。
【図４】実施例における主動ギヤの構造を説明する斜視図。
【図５】実施例における主動ギヤの構造を説明する平面図。
【図６】実施例における従動ギヤの構造を説明する斜視図。
【図７】実施例における従動ギヤの構造を説明する平面図。
【図８】実施例における付勢ギヤの構造を説明する斜視図。
【図９】実施例における主動ギヤと従動ギヤとの組み付けを説明する斜視図。
【図１０】実施例における主動ギヤと従動ギヤとの組み付けを説明する模式図。
【図１１】実施例における従動ギヤと付勢ギヤとの組み付けを説明する斜視図。
【図１２】実施例におけるパチンコ球発射ハンドルの製造工程を説明する工程図。
【図１３ａ】実施例におけるパチンコ球発射ハンドルの製造工程を説明する平面図。
【図１３ｂ】実施例におけるパチンコ球発射ハンドルの製造工程を説明する平面図。
【図１３ｃ】実施例におけるパチンコ球発射ハンドルの製造工程を説明する平面図。
【図１４】実施例におけるパチンコ球発射ハンドルの製造工程を説明する平面図。
【符号の説明】
【００５８】
３０…回転操作体
３１…孔部
３２…嵌合孔
３３…回転軸孔
３４…バネ止め部
３５…バネ配置部
３６…バネ支持部
４０…ストップスイッチ操作部
４１…操作部
４２…作用部
５０…前カバー
６０…ハンドル基部
１００…パチンコ球発射ハンドル
１１０…タッチスイッチ
１１２…回転軸
１２０…ストップスイッチ
１２６…ストップボタン
１２７…ボタン押圧板
１３０ａ，１３０ｂ，１３０ｃ…支柱
１３４，１３５，１４１…固定軸
１４０…ビス装着孔
１４１，１５０…軸孔
１６０…カバー板
１６１，１６２，１６３…ビス貫通孔
１７０…可変抵抗器
２００…主動ギヤ
２１０…回転軸
２２０…従動ギヤ
２３０…回転軸
２４０…付勢ギヤ
２５０…回転軸
２６０…付勢バネ
２６５…バネ支持軸
２６６…ビス装着孔
２０１…軸芯部
２０２ａ…第１支持翼
２０２ｂ…第２支持翼
２０３…歯車
２０３ａ…歯
２０４…嵌合部
２０５…突起付歯
２０５ａ…突起部
２２１…歯車
２２１a，２２１ｂ，２２１ｃ…歯
２２２…切りかき部
２２３…ストッパ
２２５…嵌合部
２４１…歯車
２４２…バネ掛け部
２４３…筒体
２４４…嵌合部
２４５…バネ配置部
２４６…ストッパ
２４１ａ…歯
２４８…突起付歯
２４８ａ…突起部
【図１】
2006239407.tif 000003
【図２】
2006239407.tif 000004
【図３】
2006239407.tif 000005
【図４】
2006239407.tif 000006
【図５】
2006239407.tif 000007
【図６】
2006239407.tif 000008
【図７】
2006239407.tif 000009
【図８】
2006239407.tif 000010
【図９】
2006239407.tif 000011
【図１０】
2006239407.tif 000012
【図１１】
2006239407.tif 000013
【図１２】
2006239407.tif 000014
【図１３ａ】
2006239407.tif 000015
【図１３ｂ】
2006239407.tif 000016
【図１３ｃ】
2006239407.tif 000017
【図１４】
2006239407.tif 000018